(57)【要約】      （修正有）【課題】フロントサウンドボードとリアサウンドボードとをギターの内部を通じて相互に接続することにより、ギターのフロントサウンドボードとリアサウンドボードとの両方を含むサウンドボードが同時に使用されてそれぞれで独立して音が発生し、生成される音を向上させる弦楽器を提供する。【解決手段】楽器は、ホローまたはセミホローのボディと、フロントおよびリアサーフェスと、中空のボディのフロントサーフェスまたはリアサーフェスのいずれか一方となる少なくとも一つのサウンドボード１２、１４と、中空のボディのフロントサーフェスとリアサーフェスとを相互に接続する複数のパネルと８０、８２、を有する。【選択図】図８Ｂ
2020118995.tif 000002
【特許請求の範囲】
【請求項１】
ホローまたはセミホローのボディと、
フロントおよびリアサーフェスと、
中空の前記ボディのフロントサーフェスまたはリアサーフェスのいずれか一方となる少なくとも一つのサウンドボードと、
中空の前記ボディのフロントサーフェスとリアサーフェスとを相互に接続する複数のパネルと、を有する楽器。
【請求項２】
前記楽器の中空の前記ボディへ伸長する少なくとも一つのチューニングされたサウンドポートをさらに有し、前記サウンドポートを通じて音が存在することが可能であり、
チューニングされた前記サウンドポートは、前記楽器の前記ボディに形成された開口部に挿入される中空部材を有し、
前記中空部材は、所定の形状の中央開口部を有し、かつ、チューニングされた前記サウンドポートが挿入される孔から一定の距離を伸長する長さを有している請求項１に記載の楽器。
【請求項３】
前記開口部は円形であり、
前記中空部材は、円筒形状を有していて、プラスマイナス２０％の範囲内で、前記サウンドポート開口部の直径の１／４と１／２の間と等しい一定の最小距離で前記開口部から伸長している請求項２に記載の楽器。
【請求項４】
前記パネルは曲線形状または／および平坦形状を有している請求項１〜３のいずれか１項に記載の楽器。
【請求項５】
前記楽器は弦楽器である請求項１〜４のいずれか１項に記載の楽器。
【発明の詳細な説明】
【技術分野】
【０００１】
この発明は、ホローまたはセミホローのボディを有し、楽器の向かい側に離れて配置された二つのサウンドボードから、各サウンドボード上のブリッジを相互に接続する単一の組の弦を使用して、前記楽器のホロー内部を通して、音が生成され、かつ制御されるギター、バイオリン、バンジョーなどの弦楽器と、ホローまたはセミホローのボディを有し、楽器の向かい側に離れて配置された二つのサウンドボードから、各サウンドボード上のブリッジを相互に接続する単一の組の弦を使用して、前記楽器のホロー内部を通して、音が生成されて制御される弦楽器を構築する方法に関するものである。
【背景技術】
【０００２】
ホローまたはセミホローのボディを有する従来の弦楽器では、楽器の構造的なフロントに対応するサウンドボードに取り付けられたブリッジおよびサドル上に張られている弦をかきならしたり、爪弾きしたりすることによって楽音が生成される。
弦の振動により生成され、サウンドボードの上に取り付けられているブリッジ組立体からボディ全体に伝達する音は、一般的に構造的なフロントのサウンドボード上に位置し、一般的には、弦の下方に位置している楽器のサウンドホールから放出される。
【０００３】
アコースティックギターでは、ボディのホロー内部は、サウンドボードで発生する音を高め、かつ増幅させる音響共鳴エンクロージャーを形成する。楽器のサウンドボードは、従来、楽器の上部または前部であると考えられている。
ギターの背部または後部は、楽器から発生する音全体に対しての影響が少ないか、もしくは影響がないと考えられており、そのため、ギターのリアボードの製作に用いる木材についてはほとんど注意が払われていない。
フロントボードとリアボードは、楽器の側面に沿ってボディに接続されて、ホロー内部の周囲を囲むボディを完全に閉じている。
【０００４】
上記説明のとおり、フロントボードは、アコースティックギターのサウンドボードであると認識されていて、トウヒやレッドシダーなどの高価なトーンウッドにより構成されており、その一方で、リアボードは、一般的に安価な木材や他の素材によって構成されている。
従来のアコースティックギターのフロントボードおよびリアボードには、通常、ギターの内部に面するように、各ボードの内側にリブが存在し、各ボードの構造的な強度をそれぞれで高めている。しかし、多くの場合、従来のアコースティックギターでは、フロントボードとリアボードとの間の支えは、フロントボードとリアボードとを接続している側面を除いて存在していない。
【０００５】
本発明によれば、一組の弦を用いてフロントサウンドボードとリアサウンドボードとをギターの内部を通じて相互に接続することにより、ギターのフロントサウンドボードとリアサウンドボードとの両方を含むサウンドボードが同時に使用されてそれぞれで独立して音が発生し、それにより、弦楽器で生成される音を向上させることが可能になる、という発見がされた。
【０００６】
本発明では、デュアルのブリッジおよびサドル組立体を用いることによりこれが実現される。デュアルのブリッジおよびサドル組立体は、楽器のフロントサウンドボードに取り付けられた第１のサドルおよびブリッジと、リアサウンドボードに取り付けられた第２のサドルおよびブリッジとを含んでおり、前記第１ブリッジと前記第２ブリッジは、一組の弦によってギターのホロー内部を通じて相互に接続されている。デュアルのブリッジおよびサドル組立体は、さらに、支柱を備えていることが好ましい。支柱は、ギターの内部で第１ブリッジと第２ブリッジとに接続されて、追加的にフロントサウンドボードとリアサウンドボードとの間を構造的に支え、デュアルブリッジが存在することによって弱い部分を支える。
【０００７】
二枚のサウンドボードの間に伸びる一組の共通の弦を振動させることにより、楽器のフロントとリアのサウンドボードの両方から楽器の内部全体に音が伝達して、多層の音響音が生成される。生成される音の強度および周波数の範囲は、ギター弦がフロントボードのみに接続されている他のアコースティックギターよりも広い強度および周波数範囲となる。さらに、各サウンドボードを、それぞれ別個の（前段）増幅器および／または増幅器に結合することで、各サウンドボードから生成される音を独立して個別に制御することが可能となり、音が更に向上する。
【０００８】
本発明においては、必須ではないが、サウンドボードのうちの少なくとも一つ、好ましくはフロントサウンドボードに、従来のサウンドホールに加えて、サウンドホールとは独立してギターからの音を放出する少なくとも一つのサウンドポートを有することが好ましい。サウンドポートは、サウンドホールの周辺に位置させることができる。さらに、サウンドポートは所望の形状の中空部材を有していて、中空部材の形状としては、いずれかのサウンドボード、好ましくはフロントサウンドボード上に形成された開口部への挿入に適合したチューブであることが好ましい。
【０００９】
中空部材は、フロントサウンドボードとリアサウンドボードとの間の距離の５％から９５％と等しい長さで、フロントサウンドボードからホロー内へ伸長しており、さらに、所望のサイズ寸法の、好ましくは幾何学状の一周する開口部が、フロントサウンドボードを通るように形成されている。ギター等の内部へのサウンドポートの伸長長さを変化させることにより、すなわち、目標とする音に基づいて所望の長さ範囲を決めて、この所望の範囲内の様々な異なる長さの中から所望の長さを選択することにより、ギターの共振周波数と比例した所望の周波数範囲にサウンドポートをチューニングすることができる。例えば、サウンドホールから放出される音の周波数スペクトルとは異なり、サウンドポートからの音は、トレブルやバスの音範囲に相当する高い周波数または／および低い周波数を持たせることができる。これにより、楽器によって生成される周波数のダイナミックレンジを広くすることができる。
【００１０】
そして、特に、サウンドポートが楽器に追加される場合には、フロントサウンドボードとリアサウンドボードとを接続する一枚または複数枚のパネルを楽器のボディ内部に設けて、音をサウンドポートへ集めるようにすることが好ましい。パネルは、各サウンドポートとサウンドホールとの間に位置するように配置され、通常はギターのアッパーバウトに設けられるが、これに限定されるものではない。また、パネルは、ギターのネックまで伸長することが好ましいが、ギターのネック付近で、他のパネルと相互に接続していてもよい。この配置では、パネルによって各サウンドポートに向かって音が集められるため、サウンドホールから出る音に加えて、サウンドポートからも音が放出される。また、パネルはフロントサウンドボードとリアサウンドボードとに接続されているため、パネルは本質的にギターのフロントとリアの板の間を構造的に支えており、これにより、パネルは、デュアルのブリッジおよびサドル組立体の支柱による支持とともに、従来の標準やフロントおよび／またはリアのサウンドボードに付けられたリブの代わりとして機能している。
【発明の概要】
【課題を解決するための手段】
【００１１】
本発明の楽器のうち第１の形態は、
ホローまたはセミホローのボディと、
フロントおよびリアサーフェスと、
中空の前記ボディのフロントサーフェスまたはリアサーフェスのいずれか一方となる少なくとも一つのサウンドボードと、
中空の前記ボディのフロントサーフェスとリアサーフェスとを相互に接続する複数のパネルと、を有する。
他の形態の楽器は、前記形態の楽器において、前記楽器の中空の前記ボディへ伸長する少なくとも一つのチューニングされたサウンドポートをさらに有し、前記サウンドポートを通じて音が存在することが可能であり、
チューニングされた前記サウンドポートは、前記楽器の前記ボディに形成された開口部に挿入される中空部材を有し、
前記中空部材は、所定の形状の中央開口部を有し、かつ、チューニングされた前記サウンドポートが挿入される孔から一定の距離を伸長する長さを有している。
他の形態の楽器は、前記形態の楽器において、前記開口部は円形であり、
前記中空部材は、円筒形状を有していて、プラスマイナス２０％の範囲内で、前記サウンドポート開口部の直径の１／４と１／２の間と等しい一定の最小距離で前記開口部から伸長している。
他の形態の楽器は、前記形態の楽器において、前記パネルは曲線形状または／および平坦形状を有している。
他の形態の楽器は、前記形態の楽器において、前記楽器は弦楽器である。
他の形態の発明は、前記形態の楽器において、
前記楽器のフロントのサウンドボードに付けられたブリッジサドル組立体をさらに備え、
前記ブリッジサドル組立体は、前記楽器の弦からの振動を電気信号に変換する少なくとも一つの従来のトランスデューサピックアップを含む。
他の形態の楽器は、前記形態の楽器において、少なくとも一つのトランスデューサピックアップは、前記ブリッジサドル組立体のサドルに埋め込まれている。
【００１２】
他の形態の弦楽器は、
弦楽器の前面となる第１サウンドボードと、前記弦楽器の背面となる第２サウンドボードと、前記第１サウンドボードと前記第２サウンドボードとの間で伸長する、共通のホローまたはセミホローの内部と、前記第１サウンドボードと前記第２サウンドボードとの間で伸長するデュアルのブリッジおよびサドル組立体と、を備えるボディ有し、
前記デュアルのブリッジおよびサドル組立体は、前記第１サウンドボードに取り付けられた第１ブリッジおよびサドルと、前記第２サウンドボードに取り付けられた第２ブリッジおよびサドルと、当該楽器のホロー内部を通って前記デュアルのブリッジおよびサドル組立体の前記第１ブリッジと前記第２ブリッジとを相互に接続する一組の弦と、を有する。
他の形態の弦楽器は、前記形態の弦楽器において、前記デュアルのブリッジおよびサドル組立体は、さらに、当該楽器のホロー内部を通って前記第１サウンドボードを前記第２サウンドボードに接続する支柱を有する。
他の形態の弦楽器は、前記形態の弦楽器において、前記支柱は、円柱形状、直方体形状、および立方体形状からなる群から選択されるいずれかの形状を有している。
他の形態の弦楽器は、前記形態の弦楽器において、前記第１ブリッジは、前記一組の弦を横切る方向に配列されて前記一組の弦が通される複数の孔を有し、
前記第２ブリッジは、二組の孔を有していて、前記二組の孔に含まれる孔の合計数は、前記第１ブリッジ上に存在する孔の数の二倍であり、
前記一組の弦は、前記第２ブリッジにおける前記二組の孔のうちの片方の組に固定されている。
他の形態の弦楽器は、前記形態の弦楽器において、複数のペグ部材をさらに有し、
前記複数のペグ部材は、前記一組の弦におけるそれぞれの弦を前記第２ブリッジに固定するために、前記第２ブリッジ上の前記二組の孔のうちの一組へ挿入されるように適合されている。
他の形態の弦楽器は、前記形態の弦楽器において、前記第１ブリッジに接続される第１サドルアセンブリと、前記第２ブリッジに接続される第２サドルアセンブリと、をさらに有し、
各サドルアセンブリは、サドルと、従来型の収音装置と、ワイヤーコードおよび出力ジャックと、を有し、前記ワイヤーコードおよび出力ジャックは、前記第１および第２サドルアセンブリにおける前記収音装置を当該楽器に取り付けられた別個のプリアンプに接続するためのものである。
他の形態の弦楽器は、前記形態の弦楽器において、前記第１および第２ブリッジは、前記各サドルアセンブリの前記サドルを受け入れるスロットを含む。
他の形態の弦楽器は、前記形態の弦楽器において、前記第１および第２サドルアセンブリの両方における各サドルが、本体部と、前記本体部から外側へ伸長する細い部分とを有し、前記細い部分が、各ブリッジにおける前記スロットの幅と略一致した幅を有する略直方体の形状を有することで、前記サドルが、前記デュアルのブリッジおよびサドル組立体の第１および第２ブリッジのスロット内に密に嵌合している。
他の形態の弦楽器は、前記形態の弦楽器において、前記第１および第２サドルアセンブリのうちの少なくとも一つは、前記サドルアセンブリの前記本体部内に前記収音装置が組み込まれた一体型ユニットである。
他の形態の弦楽器は、前記形態の弦楽器において、前記第１および第２サドルアセンブリのそれぞれの前記本体部は、前記一組の弦を係合するための頂点を有する円すい型の形状と、前記一組の弦を係合する曲線状の表面を有する半円柱状形状と、からなる群から選択される幾何学的形状を有する。
他の形態の弦楽器は、前記形態の弦楽器において、前記楽器は、さらに、音を放出するサウンドホールと、前記サウンドホールとは別個の少なくとも一つのサウンドポートと、をさらに有し、
前記サウンドポートは、前記フロントサウンドボードまたは前記リアサウンドボードのいずれかに形成されたホールに挿入可能な部材を含み、
前記部材は、所定の寸法の開口を有し、かつ、前記フロントサウンドボードと前記リアサウンドボードとの間の距離の５％から９５％に等しい固定距離で前記楽器の前記内部へ伸長する長さを有する。
他の形態の弦楽器は、前記形態の弦楽器において、前記サウンドポート内の前記部材は、円形状の開口部を中央に有するチューブからなり、
前記チューブは、前記フロントサウンドボードとリアサウンドボードとの間の距離の５％と９５％との間の長さと等しい一定の距離で前記楽器の前記内部へ伸長する長さを有している。
他の形態の弦楽器は、前記形態の弦楽器において、前記楽器は、さらに、前記フロントサウンドボードまたは前記リアサウンドボードのいずれかに、前記サウンドホールの近くの位置に形成された少なくとも一つのサウンドポートを有する。
他の形態の弦楽器は、前記形態の弦楽器において、前記フロントサウンドボードと前記リアサウンドボードとの間に接続された少なくとも一つのパネルをさらに有し、
前記パネルは、音を前記サウンドポートに向けて一方向に集めるように、前記サウンドポートと前記サウンドホールとの間に延在して配置されている。
他の形態の弦楽器は、前記形態の弦楽器において、複数のパネルをさらに備え、
各パネルは、前記フロントサウンドボードと前記リアサウンドボードとを接続するストレート状のパネルであって、前記フロントまたはリアサウンドボード上のブリッジの比較的近くの位置から前記楽器のネックの近くの位置まで伸長していて、各サウンドポートとサウンドホールとの間に位置している。
他の形態の弦楽器は、前記形態の弦楽器において、各パネルは、前記フロントサウンドボードを前記リアサウンドボードに接続する曲線状のパネルであって、"Ｓ"字形の蛇行形状を有している。
他の形態の弦楽器は、前記形態の弦楽器において、各プリアンプは、単一の増幅器に共通接続されているか、または別々の増幅器に接続されている。
他の形態の弦楽器の製作方法は、ホローまたはセミホローの内部と、前記ホローの内部の両側に配置されたフロントおよびリアサウンドボードと、一組の弦と、前記フロントサウンドボードに取り付けられた第１ブリッジ、および前記リアサウンドボードに取り付けられた第２ブリッジを含むデュアルのブリッジおよびサドル組立体と、を有するボディを備える弦楽器の製作方法であって、
前記デュアルのブリッジおよびサドル組立体の第１ブリッジに第１サドルアセンブリを取り付ける工程と、
前記デュアルのブリッジおよびサドル組立体の第２ブリッジに第２サドルアセンブリを取り付ける工程と、
前記楽器のホローの内部を通じて前記第１ブリッジと前記第２ブリッジとを相互に接続して各サウンドボードのそれぞれから音を発生させるように、前記第１サドルアセンブリと前記第２サドルアセンブリとの間で前記弦楽器に前記一組の弦を張る工程と、を有する。
他の形態の弦楽器の製作方法は、他の形態の弦楽器の製作方法において、前記デュアルのブリッジおよびサドル組立体の前記第１ブリッジと前記第２ブリッジとをホローの前記内部を通して相互に接続する支柱をさらに備え、前記支柱は、前記フロントサウンドボードを前記リアサウンドボードに構造的に支持するためのものである。
他の形態の弦楽器の製作方法は、他の形態の弦楽器の製作方法において、サウンドホールと、前記サウンドホールの近傍に位置する少なくとも一つのサウンドポートと、を有し、
前記サウンドポートは、前記フロントサウンドボードまたは前記リアサウンドボードを貫通する中空部材を有する弦楽器の制作方法であって、
前記中空部材の長さは、ギターの共振周波数に比例した所望の周波数範囲に前記サウンドポートをチューニングするために、前記フロントサウンドボードと前記リアサウンドボードとの間の距離の５％から９５％の間に等しい一定距離で楽器の前記内部へ伸長するように選択される。
他の形態の弦楽器の製作方法は、他の形態の弦楽器の製作方法において、前記中空部材の長さは、ギターの共振周波数に比例した所望の周波数範囲に前記サウンドポートをチューニングするために、前記フロントサウンドボードと前記リアサウンドボードとの間の距離の２０％から８０％と等しい一定の距離を前記楽器の前記内部へ伸長するように選択される。
他の形態の弦楽器の製作方法は、他の形態の弦楽器の製作方法において、前記サウンドポートとサウンドホールとの間に、前記サウンドポートに音を集めて放出するためのパネルを設ける工程をさらに含む。
他の形態の弦楽器の製作方法は、他の形態の弦楽器の製作方法において、前記パネルは、ストレート状のパネルまたは蛇行形状を有する曲線状のパネルである。
他の形態の楽器は、ホローまたはセミホローの内部と、フロントサーフェスおよびリアサーフェスと、を有し、中空体の構造的な前記フロントサーフェスまたは構造的な前記リアサーフェスのいずれかとなるサウンドボードを有するか、または、前記フロントサーフェスおよび前記リアサーフェスの両方が前記楽器のサウンドボードとして機能しているボディを有し、
前記ボディは、前記楽器の内部へ伸長する少なくとも一つのチューニングされたサウンドポートを有し、前記楽器はチューニングされた前記サウンドポートを通して音が存在することが可能であり、
チューニングされた前記サウンドポートは、前記楽器に形成された孔に挿入される中空部材を有し、
前記中空部材は、所定の形状の中央開口部を有し、チューニングされた前記サウンドポートが挿入されるホールから一定の距離で伸長する長さを有している楽器。
他の形態の楽器は、前記形態の楽器において、前記楽器は、弦楽器であり、
チューニングされた前記サウンドポートは、少なくとも前記楽器の構造的なフロントまたはリアのサウンドボードに形成された孔に挿入されており、
前記中空部材は、フロントとリアのサウンドボードの間の距離の５％と９５％の間の距離と等しい一定の距離で前記楽器の前記内部へ伸長している請求項２４に記載の楽器。
他の形態の楽器は、前記形態の楽器において、チューニングされた前記サウンドポートが通って伸長する前記孔は、円形であり、前記中空部材は、円柱または円すい形状を有している。
他の形態の楽器は、前記形態の楽器において、前記中空部材は、プラスマイナス２０％の範囲内で、前記ポート開口部の直径の１／４と１／２の間の最小距離と等しい一定の距離で前記サウンドボードから前記楽器の前記内部へ伸長する長さを有する。
他の形態の楽器は、前記形態の楽器において、前記フロントおよびリアのサウンドボードを相互に接続する複数のパネルをさらに有する。
他の形態の楽器は、前記形態の楽器において、前記パネルは平坦または曲線形状を有する。
他の形態の楽器は、前記形態の楽器において、前記パネルは、Ｓ字形の形状で、蛇行形状もしくは正弦曲線状の曲線形状を有する。
他の形態の楽器は、前記形態の楽器において、少なくとも、チューニングされた第２のサウンドポートをさらに有し、
チューニングされた各サウンドポートは、少なくとも一つのチューニングされたサウンドポートを通じて音を集めるように、対称的に配置されている。
他の形態の楽器は、前記形態の楽器において、チューニングされたサウンドポート以外に、前記サウンドホールの両側に対称的に配置された前記パネルに第２のサウンドホールを有している。
他の形態の楽器は、前記形態の楽器において、前記パネルは、前記楽器の両方の側から、および、前記側部の端部から対称的に伸長する。
他の形態の楽器は、前記形態の楽器において、デュアルブリッジ構成をさらに備え、
前記デュアルブリッジ構成は、前記正面サウンドボードに取り付けられた第１ブリッジと、前記リアボードに取り付けられた第２ブリッジと、前記第１ブリッジと前記第２ブリッジとを相互に接続する音波構造の支柱と、を有する。
【図面の簡単な説明】
【００１３】
本発明の他の利点は、以下の本発明の詳細な説明を添付図面と併せて読むことにより明らかになるであろう。
【図１】本発明のデュアルのブリッジおよびサドル組立体を用いて製作されたアコースティックギターの構造的な正面図である。
【図２】図１に示すギターの構造的なリア図である。
【図３】図１に示す本発明のギターの構造的な左側面図である。
【図４】図１に示すギターの構造的な右側面図である。
【図５】ヘッドストックの先端から見た図１のギターの構造的なヘッドストックの端面図である。
【図６】ギターの下端部に相当するロウアーバウトから見た図１のギターの構造的なボトムエンドの端面図である。
【図７】図１に示される本発明のギターの構造的な斜視図であり、点線により、それぞれのサウンドポートとサウンドホールとの間のパネルの配置を図式的に示し、さらに、点線を用いて、ギターの片側に取り付けられている二つのプリアンプを示すとともに、デュアルのブリッジおよびサドル組立体の各ブリッジに取り付けられた収音装置とそれぞれのプリアンプとの間の接続、および、二つのプリアンプのそれぞれと増幅器との間の外部接続を示している。
【図８Ａ】図７に示すライン８Ａ−８Ａに沿った本発明のギターの構造的な断面図である。
【図８Ｂ】図７に示すギターをリア側から見た構造的分解図であり、二等分したギターと、ギターの各半分から離間させたデュアルのブリッジおよびサドル組立体とを示し、さらに、ギターの各半分のそれぞれの逆側にあるサウンドポートと、各サウンドポートに音を集めて放出するために各サウンドポートとサウンドホールとの間に設けた直線状のパネルと、を示している。
【図９Ａ】図８Ｂに示す本発明のギターの別の構造的な分解図であって、図８Ｂに示す本発明のパネルの別の形態として、直線状ではなくＳ字形状を有するパネルを示す。
【図９Ｂ】図８Ｂおよび図９Ａにおけるデュアルのブリッジおよびサドル組立体の構造的な分解斜視図であり、デュアルのブリッジおよびサドル組立体の各ブリッジ間でギターの内部を通るように一組の弦を張った状態を示すとともに、本発明のデュアルのブリッジおよびサドル組立体の各ブリッジにおける、ギター弦が掛けられたサドルの配置および形状を示している。
【図１０】図９Ｂのデュアルのブリッジおよびサドル組立体への取り付けに適合した一つのサドル組立体の好ましい形態を示す斜視図であり、サドルと、サドルに埋め込まれた収音装置と、を含む一つの一体化ユニットを形成したサドル組立体を示している。
【図１１】図１０に示されていた一体化されたサドルと、埋め込まれた収音装置とを示す図であり、図１０のライン１１−１１に沿った断面図である。
【図１２】図８Ｂに示す本発明のデュアルのブリッジおよびサドル組立体の他の立体分解図であり、ギターのリアサウンドボードに取り付けられた第２ブリッジに対して一組のギター用弦に含まれるそれぞれの弦を固定する方法を示し、かつ、リアサウンドボードの第２ブリッジとフロントサウンドボードの第１ブリッジとを相互に接続するように一組のギター弦を張る方法を示す図である。
【発明を実施するための形態】
【００１４】
全ての図面は本発明の好ましい形態に関するものであり、本発明の範囲を限定することを意図したものではなく、本発明における選択されたバージョンを強調するものである。
【００１５】
本発明の楽器は、本発明の楽器の好ましい形態を表す、図１〜９全体で示されるアコースティックギター１０によって示されている。アコースティックギター１０は、図１に示すフロントサウンドボード１２と、図２に示すリアサウンドボード１６と、図８Ａ、８Ｂ、９Ａ、９Ｂ、１２において詳細に示されるデュアルのブリッジおよびサドル組立体１４と、を含むボディ１１を有している。デュアルのブリッジおよびサドル組立体１６は、ボディ１１のホローまたはセミホローの内部１８を通って、ギター１０のフロントサウンドボード１２からリアサウンドボード１４にかけて伸長している。ギター１０は、図３、４、６に示すように、フロントサウンドボード１２とリアサウンドボード１４とを接続してギター１０のボディを完全に囲む側面１３を有している。
【００１６】
図８Ａに示すデュアルのブリッジおよびサドル組立体１６は、フロントサウンドボード１２とリアサウンドボード１４との間で伸長していて、フロントサウンドボード１２に取り付けられた第１ブリッジ２０と、リアサウンドボード１４に取り付けられた第２ブリッジ２２と、第１ブリッジ２０と第２ブリッジ２２とを相互に接続する支柱２３、２４と、図９Ｂに示すように第１ブリッジ２０のスロット３４に挿入可能なサドル組立体３０と、第２ブリッジ２２のスロット４０に挿入可能なサドル組立体３１と、を有している。
【００１７】
あつらえの、または延長された長さの一組の弦３３は、ギター１０の先端となるヘッドストック１９から、ギター１０のネック１７に沿って、フロントサウンドボード１２上に取り付けられた第１ブリッジ２０に伸長し、第１ブリッジ２０から、ギター１０のボディ１１内のホールの内部１８を通って、リアサウンドボード１４に取り付けられた第２ブリッジ２２まで伸長している。一組のギター弦３３におけるそれぞれの弦の一方端は、ヘッドストック１９のチューニングノブ１５に接続され、一組の弦３３におけるそれぞれの弦の他端は、第２ブリッジ２２にペグで固定されており、これにより、一組の弦３３は、ギター１０のホールの内部１８を通って第１ブリッジ２０と第２ブリッジ２２とを相互に接続している。一組の弦３３は、好ましくは、リアサウンドボード１４上の第２ブリッジ２２にペグで固定された位置を始点として、第２ブリッジ２２に挿入されたサドル４８を超えて、そして第１ブリッジ２０に挿入されたサドル４４を超えて第１ブリッジ２０まで張られ、第１ブリッジ２０からは、ギター１０のネック１８に沿って、チューニングノブ１５まで伸びるように張られる。詳細については、図９Ｂおよび１２を用いて後述する。
【００１８】
デュアルのブリッジおよびサドル組立体１６の支柱２３、２４は、フロントまたはリアのサウンドボード１２、１４がギター弦３３の張りによる過大な張力によって崩壊しないように、ギター１０の上側のサウンドボード１２をリアサウンドボード１４に支持して固定するように機能する。しかし、支柱２３、２４の使用は好ましいが、本発明にとって重大ではないことを理解されたい。その理由は、デュアルのブリッジおよびサドル組立体１６の支柱２３、２４とは独立した別の支持部材をフロントサウンドボード１２とリアサウンドボード１４との間に用いることにより、フロントサウンドボード１２とリアサウンドボード１４とがお互いに対して相対的に崩壊することを防ぐための構造的な支えを得ることが可能であるからである。別の支持部材としては、例えば、後述するように、サウンドポート７０、７２の使用に伴って組み込まれたパネル８０、８２を用いることができる。デュアルのブリッジおよびサドル組立体１６の支柱２３、２４は、図８Ａに示すように、フロントサウンドボード１２とリアサウンドボード１４との間に傾斜角を有して配置されていることが好ましく、上側のサウンドボード１２の位置が、リアサウンドボード１４の位置に対して、ギター１０のネック１７に向かって僅かに前方にあることが好ましい。この配置により、ギター１０のチューニングの際に一組のギター弦３３の張力を幾分弱めることができる。支柱２３、２４は、所望の素材、好ましくは、木材、または木材の代わりとなる組成物によって造ることが可能であり、その形状は、例えば、直方体形状、立方体形状、円柱形状を含む所望の幾何学的形状とすることが可能である。
【００１９】
図１および図９Ｂに示すデュアルのブリッジおよびサドル組立体１６の第１ブリッジ２０は、サドルアセンブリ３０が挿入されるスロット３４を有し、さらに、ギター弦３３を通して張るための複数の開口部３５を含んでいる。開口部３５の数は、ギター弦３３の数に対応しており、例えば、ギター１０が６本のギター弦３３を有するときには、第１ブリッジ２０は６つの開口部３５を有している。開口部３５は、略水平な平面上において、一組のギター弦３３を横切る方向に配列される。第１ブリッジ２０のスロット３４は、図１に示すように、水平方向に対して鋭角をなすように配置されることが望ましく、これにより、ギターの特定の音調の調整を容易、かつ／または可能にする。第１ブリッジ２０の形状および寸法は、デュアルのブリッジおよびサドル組立体１６の第２ブリッジ２２の形状および寸法と、幅方向の寸法を除いて一致していてもよい。
【００２０】
第１ブリッジ２０は一組の開口部３５のみを収容するのに対し、第２ブリッジ２２は、ギター弦３３用の二組の開口部３８、３９を収容するため、第２ブリッジ２２は、図２に示すように、第１ブリッジ２０の幅よりも広い幅ｄを有することが好ましい。第２ブリッジ２２における一組の開口部３９は、各ギター弦３３の一方端をペグでしっかりと固定するために使用される。二組の開口部３８、３９は、第２ブリッジ２２のスロット４０の両側において互いに平行に配置されるべきであり、合計で、第１ブリッジ２０に存在する弦開口部３５の数の二倍の開口部を含むべきである。
【００２１】
図９Ｂおよび図１２に示すように、弦３３は、ペグ部材４２を用いて第２ブリッジ２２の開口部３９に固定されている。ペグ部材４２は、それぞれの弦３３の一端を係合して開口部３９へ挿入され、これにより、各ペグ部材４２は開口部３９内でそれぞれの弦３３を係合して、弦の係合された端部を開口部３９の一つへ強固に固定している。その後、図９Ｂおよび図１２に示すように、ギター弦３３は、開口部３９に固定された端部から、第２ブリッジ２２における対応する開口部３８を通過して、サドルアセンブリ３１のサドル４８を超えるように張られ、そして、第１ブリッジ２０の開口部３５を通過して、そこからサドルアセンブリ３１のサドル４４上に掛けられて、ギター１０のネック１７に沿って、ギター１０の先端１９におけるチューニングノブ１５まで張られる。
【００２２】
サドルアセンブリ３０は、デュアルのブリッジおよびサドル組立体１６の第１ブリッジ２０におけるスロット３４へ挿入可能であり、図９Ｂに示すように、サドル４４と、ピックアップ４５と、ワイヤーコード４６と、出力ジャック４７とを含んでいる。ピックアップ４５は、従来の素子であり、例えば、ワイヤーコイル内に設けた圧電シールド磁気素子などの収音タイプからなる。ワイヤーコード４６から伸びるジャック４７は、図７に示すように、ギター１０の側面１３に取り付けられたプリアンプ６０にピックアップ４５を接続できるように適合されている。
【００２３】
同様に、サドルアセンブリ３１は、デュアルのブリッジおよびサドル組立体１６の第２ブリッジ２２におけるスロット４０に挿入可能であり、サドル４８と、ピックアップ５０と、ワイヤーコード５１と、出力ジャック５２とを含んでいる。出力ジャック５２は、ギター１０の同じ側面１３に取り付け可能な別のプリアンプ５２にピックアップ５０を接続することができるように、ワイヤーコード５１から伸長している。二つのプリアンプ６０、６２は、図７に示すように、ギター１０の側面１３に取り付けられた出力ジャック６３、６４通してアンプ６５に接続されていてもよい。この際は、例えば、従来のＹ接続６６を用いて接続してもよく、もしくは、その代わりに、各プリアンプからの音を個別に制御するために、それぞれのプリアンプ６０、６２を別個のアンプ（図示なし）に接続してもよい。
【００２４】
各サドルアセンブリ３０、３１は、サドル４４、４８と、ピックアップ４５、５０とをそれぞれ有している。サドル４４、４８は、フロントおよびリアのサウンドボード１２、１４上にある第１および第２ブリッジ２０、２２上で一組のギター弦３３をそれぞれ支持するように機能している。各サドル４４、４８は、サドルアセンブリ３０、３１において各ピックアップ４５、５０から別個に独立した部品であってもよい。もしくは、その代わりに、一方または両方のサドルアセンブリ３０、３１がサドルアセンブリ３０、３１と一体化されたピックアップを有することで、サドルとピックアップの両方を組み込んだ一体化ユニットを形成していてもよい。本発明のギターでは、サドルアセンブリ３１のピックアップ５０は、サドル４８内に形成された開口部５７への挿入に適合しており、これにより一体化したユニットが形成される。一方で、サドルアセンブリ３０のピックアップ４５は、サドル４４と一体化して一つのユニットを形成していてもよいが、そうでなくてもよい。したがって、図９Ｂに示すように、サドルアセンブリ３０のピックアップデバイス４５は独立した部品であるため、ピックアップ４５を第１ブリッジ２０のスロット３４に単独で挿入して、その後に、ピックアップ４５の上からサドル４４をスロット３４に挿入しなければならないが、それに対し、ピックアップ５０と結合されたサドル４８は、一体化されたユニットとして第２ブリッジ２２のスロット４０に挿入される。
【００２５】
一つまたは両方のサドルアセンブリ３０、３１が、サドルとピックアップとの両方を含む一体化したユニットを形成するように製作されているどうかに拘わらず、各サドルアセンブリ３０、３１におけるサドルコンポーネント４４、４８は、本体部５３、５５と、本体部５３、５５から外側に伸長する細い部分５４と、を含む構成を有するべきである。細い伸長部分５４は、略直方体の形状を有しているべきである。これは、各サドル４４、４８の断面をＴ字状とするためであり、これにより細い伸長部分５４が”Ｔ”字の垂直側となり、本体部５３、５５が”Ｔ”字の水平側となる。さらに、各サドル４４、４８から伸長する細い部分５４は、その幅が、第１および第２ブリッジ２０、２２のそれぞれのスロット３４、４０の幅と一致しているべきである。かつ、細い部分５４は、細い部分５４の伸長する始点である本体部５３、５５の幅よりも、はるかに細い幅を有しているべきである。サドル４４の本体部５３は、やや尖った頂点５６へ伸長する円すい形状を有していてもよく、その頂点５６は、フロントサウンドボード１２においてギター弦３３を係合するように構成される。その一方で、サドル４８は、リアサウンドボード１４においてギター弦３３を係合するために、丸い半円柱形状の構成を単純に有していてもよい。
【００２６】
本発明のギター１０は少なくとも一つのサウンドポートを有しているが、図１、７、８Ａに示すように、二つのサウンドポート７０、７２を有すること好ましく、両方のサウンドポート７１、７２は、フロントサウンドボード１２上で、ギター１０のサウンドホール１３の両側に形成されることが好ましい。サウンドホール１３は、ギター１０のボディ１１に、好ましくはフロントサウンドボード１２に位置している。サウンドホール１３は、ギター弦３３の下であって、かつ、各サウンドポート７０、７２の間で対称的に配置されることが好ましい。各サウンドポート７０、７２は、所望の形状を有する部材７７、７８を有していることが好ましい。サウンドボードのいずれか、好ましくはフロントサウンドボードには、部材７７、７８を収容できるように作られた開口部が形成されており、部材７７、７８の形状は、開口部への挿入に適合した中空のチューブ形状を有していることが好ましい。各部材７７、７８は、ギター１０のフロントサウンドボード１２からギターの中空内部１８内の位置まで伸長していて、その長さは、ギターのフロントサウンドボード１２とリアサウンドボード１４との間の距離の５％から９５％までの長さに等しいことが望ましい。また、部材７７、７８は、各部材７７、７８を通って伸長する開口部７３、７４を有しているべきである。開口部７３、７４は、所望の形状およびサイズを有していて、好ましくは円形であり、これにより、各部材７７、７８が放物線状もしくは円筒状の形状を形成していることが好ましい。開口部７３、７４のサイズと、ギター１０の内部１８内における各サウンドポート７０、７２の伸長長さと、の一方または両方を変化させることにより、ギターの共振周波数に比例する所望の周波数範囲に、サウンドポート７０、７２を個別にチューニングすることができる。最適条件は、サウンドポート７０、７２が、各部材７７、７８と同一サイズの円形の開口部７３、７４を有していて、各部材７７、７８が、フロントサウンドボード１２からリアサウンドボード１４までの距離の２０％から８０％までの長さに相当する長さを有することであり、これにより大多数のアコースティックギターのチューニング性が向上する。しかしながら、各サウンドポート７０、７２の各部材７７、７８の長さやサイズ寸法は同一である必要はない。
【００２７】
各サウンドポート７０、７２は、フロントサウンドボード１２とリアサウンドボード１４との間に接続された、幾何学的直線形状のパネル８０、８２を伴うことが望ましい。パネル８０、８２は、各サウンドポート７０、７２とサウンドホール１３との間に配置され、ギター１０のロウアーバウトの比較的近傍の位置から、ギター１０のネック１７付近の位置まで伸長するか、もしくはギター１０のネック１７の付近において直線状の各パネル８０、８２がお互いに交差するように伸長している。これにより、音をサウンドポート８０、８２に集めて放出することが可能となる。なお、二枚のパネル８０、８２のみが示されているが、追加のパネルを用いてギターボディ１１の内部１８に音響迷路を形成してもよい。
【００２８】
図９に、直線状のパネル８０、８２の使用の代替となるものを示しており、ここでは、フロントサウンドボード１２とリアサウンドボード１４との間に接続された各パネルが、"Ｓ"字状の蛇行した曲線形状を有している。
【００２９】
以上説明したように、パネル８０、８２がフロントサウンドボード１２とリアサウンドボード１４との間に接続されているため、パネル８０、８２は、支柱２３とともに使用された場合であっても支柱２３を使用しない場合であっても、弦の張力が非常に強い際に、フロントサウンドボードおよび／またはリアサウンドボードが崩壊するのを防ぐための構造的な支えとして機能する。
【図１】
2020118995.tif 000003
【図２】
2020118995.tif 000004
【図３】
2020118995.tif 000005
【図４】
2020118995.tif 000006
【図５】
2020118995.tif 000007
【図６】
2020118995.tif 000008
【図７】
2020118995.tif 000009
【図８Ａ】
2020118995.tif 000010
【図８Ｂ】
2020118995.tif 000011
【図９Ａ】
2020118995.tif 000012
【図９Ｂ】
2020118995.tif 000013
【図１０】
2020118995.tif 000014
【図１１】
2020118995.tif 000015
【図１２】
2020118995.tif 000016